(57)【要約】【課題】  装置の小型化およびコストダウンを実現したシート原稿搬送装置を提供すること。【解決手段】  複数枚のシート原稿を積載可能な原稿積載トレイから、原稿束を１枚ずつ順次に分離搬送し、プラテンガラス上に読取原稿を静止させ、読取原稿を読取装置で読み取り、その後排紙する静止読み方式のシート原稿搬送装置であって、シート原稿を搬送するための、搬送ベルトとシート原稿を分離するための分離ローラおよび、分離ローラに対向して押圧された分離パッドを有するシート原稿搬送装置において、分離ローラを搬送ベルト間に設け、分離ローラの回転中心を搬送ベルトと同一にしたことを特徴とする。【選択図】        図２
2006076711.tif 000002
【特許請求の範囲】
【請求項１】
複数枚のシート原稿を積載可能な原稿積載トレイから、原稿束を１枚ずつ順次に分離搬送し、プラテンガラス上に読取原稿を静止させ、読取原稿を読取装置で読み取り、その後排紙する静止読み方式のシート原稿搬送装置であって、
シート原稿を搬送するための、搬送ベルトとシート原稿を分離するための分離ローラおよび、分離ローラに対向して押圧された分離パッドを有するシート原稿搬送装置において、分離ローラを搬送ベルト間に設け、分離ローラの回転中心を搬送ベルトと同一にしたことを特徴とするシート原稿搬送装置。
【請求項２】
分離ローラの速度よりも、搬送ベルトの速度を大きくしたことを特徴とする、請求項１に記載のシート原稿搬送装置。
【請求項３】
２本の搬送ベルトの間にできる隙間を、白色部材で覆うことを特徴とする、請求項１に記載のシート原稿搬送装置。
【請求項４】
分離ローラの外径が搬送ベルトの外径よりも大きいことを特徴とする、請求項１に記載のシート原稿搬送装置。
【発明の詳細な説明】
【技術分野】
【０００１】
本発明は、画像読取装置、詳細には、複写機、ファクシミリなど画像形成装置の自動給紙構成に関する。
【背景技術】
【０００２】
従来、搬送ベルトの同一円周上に分離ローラはなく、搬送ベルトの上部に分離ローラを持つものがあった。また、搬送ベルト自体が分離ローラの役割を果たすものがあった（例えば、特許文献１及び２参照）。図４は、特許文献１を表す図である。
【特許文献１】特開平４−４９１３８号公報
【特許文献２】特開平４−１４８７３５号公報
【発明の開示】
【発明が解決しようとする課題】
【０００３】
従来の技術において前者の方式では、搬送ベルトの上部に分離ローラを持つことから、高さ方向に大きくなる欠点があった。
【０００４】
また、後者の方式では高さは抑えられるものの、搬送ベルトが分離ローラを兼ねるため搬送ベルト全体を原稿束の分離に必要十分な摩擦係数を高くする必要があった。搬送ベルト全体の摩擦係数が高いために、搬送ベルトをプラテンガラスに圧接させてしまうと、搬送ベルトとプラテンガラス間の摩擦により搬送ベルトを駆動できなくなってしまう。
【０００５】
よって、搬送ベルトを圧接させることは難しく、原稿の浮き、画像不良の原因となる。さらに、原稿と原稿の間の紙間を取るために、複雑な機構を必要としていた。
【０００６】
本発明は、以上の点に着目して成されたもので、静止読取方式の自動給紙装置において、分離搬送機構の単純化により、装置の小型化、低コスト化を図ることができるシート原稿搬送装置を提供することを目的とする。
【課題を解決するための手段】
【０００７】
（１）上記目的を達成するため、本出願に係わる第一の発明は、シート原稿を搬送するための、搬送ベルトとシート原稿を分離するための分離ローラおよび、分離ローラに対向して押圧された分離パッドを有するシート原稿搬送装置において、分離ローラを搬送ベルト間に設け、分離ローラの回転中心を搬送ベルトと同一にしたことを特徴とする。
【０００８】
上記構成において、分離ローラを搬送ベルト間に設けることにより、ベルト全面の摩擦係数を従来以上に高くすることなく、搬送機構の高さを小さくすることができる。また、搬送ベルトをプラテンガラスに圧接させることができるので、原稿の浮き、画像不良を最小限にすることができる。
【０００９】
（２）上記目的を達成するため、本出願に係わる第二の発明は、シート原稿を搬送するための、搬送ベルトとシート原稿を分離するための分離ローラおよび、分離ローラに対向して押圧された分離パッドを有するシート原稿搬送装置において、分離ローラの速度よりも、搬送ベルトの速度を大きくしたことを特徴とする。
【００１０】
上記構成において、分離ローラの速度よりも、搬送ベルトの速度を大きくしたことにより、搬送される原稿間に隙間を設けることができ、紙端センサによって紙端を検知することにより、正確な紙搬送を行うことができる。
【００１１】
（３）上記目的を達成するため、本出願に係わる第三の発明は、シート原稿を搬送するための、搬送ベルトとシート原稿を分離するための分離ローラおよび、分離ローラに対向して押圧された分離パッドを有するシート原稿搬送装置において、２本の搬送ベルトの間にできる隙間を白色部材で覆うことを特徴とする。
【００１２】
上記構成において、２本の搬送ベルトの間にできる隙間を白色部材で覆うことにより、搬送ベルト部との色の違い、段差によって生まれる画像の影や原稿の浮きを防ぐことができる。
【００１３】
（４）上記目的を達成するため、本出願に係わる第四の発明は、シート原稿を搬送するための、搬送ベルトとシート原稿を分離するための分離ローラおよび、分離ローラに対向して押圧された分離パッドを有するシート原稿搬送装置において、分離ローラの外径を搬送ローラの外径よりも大きくしたことを特徴とする。
【００１４】
上記構成において、分離ローラの外径を搬送ベルトの外径よりも大きくしたことにより、最下位の原稿の分離時に原稿裏面が搬送ベルトにより擦れ汚れることを防ぐ。
【発明の効果】
【００１５】
本発明によれば、静止読取方式の自動給紙装置において、分離搬送機構の単純化により、装置の小型化、低コスト化を図ることができる。
【発明を実施するための最良の形態】
【００１６】
以下本発明を実施するための最良の形態を、実施例により詳しく説明する。
【実施例】
【００１７】
図１は、本発明の自動給紙読取装置を示す概略正面断面図であり、図２は本発明の自動給紙読取装置を示す斜視図である。この図１と図２を参照して、まず読取搬送部の構成および動作を説明する。
【００１８】
本自動給紙読取装置は複数枚の原稿９を順次１枚ずつ分離搬送する自動原稿給紙手段１０と、自動原稿給紙手段１０によって給送された原稿９を保持するプラテンガラス５と、プラテンガラス５上に給送された原稿９を読み取るためのイメージセンサ６を有する。センサユニット６にて原稿９を読み取った後、自動原稿給紙手段１０により速やかに順次排紙される。
【００１９】
上記の動作を繰り返すことにより、複数枚の原稿の自動読取を実現する。
【００２０】
ここで、自動原稿給紙手段１０とプラテンガラス５を介して配置されたイメージセンサ６は、光源としてのＬＥＤアレイから原稿９の画像情報面に光を照射し、画像情報面で反射した反射光をセルフォックレンズ（登録商標）でセンサ素子に結像して画像情報を読み取るものである。
【００２１】
自動原稿給紙手段１０は、複数枚の原稿９を積載することが可能な原稿積載トレイ１と、原稿９の先端位置に分離ローラ３と分離ローラ３に対向して圧接された分離パッド２が配置される。また原稿有無センサ１１により原稿９の有無が検知される。操作者が不図示の操作部から読み取り開始を指示すると、複数の原稿９のうち最下位の原稿が分離される。分離後、原稿９は分離ローラ３と搬送ローラ４の間を搬送される。また第１搬送ベルト８ａと第２搬送ベルト８ｂは第１ベルトローラ７ａと第２ベルトローラ７ｂにより張架され、プラテンガラス５に接するように配置されており、搬送ベルトと原稿間の摩擦力のほうがプラテンガラスと原稿間の摩擦力より大きいことにより原稿９はプラテンガラス上を搬送することができる。
【００２２】
原稿エッジセンサ１２で原稿９の先端が検出され、その位置から所定量搬送されたところで、原稿９はプラテンガラス５上の読取所定位置に停止する。その後、イメージセンサ６が原稿９を読み取り、終了したのち搬送ベルトにより原稿９は自動原稿給紙手段１０の外部へ排紙される。
【００２３】
次に、本発明の分離、搬送部について詳しく説明する。先述した通り、分離ローラ３は第１搬送ベルト８ａと第２搬送ベルト８ｂとの間に配置されるのだが、分離ローラ３の外径は搬送ベルトの外径より僅かに大きくなっている。このことにより、最下位の原稿９を分離中に原稿裏面が搬送ベルトに擦れ、汚れることを防ぐことができる。この構成によっても、第１、第２搬送ベルト８ａ，８ｂのプラテンガラス５からの浮きは分離ローラ３がプラテンガラス５に対向する箇所においてのみであり、従来に比べ原稿の浮きは飛躍的に向上している。
【００２４】
２本の搬送ベルトの間を図には不記載の白色部材が覆うことによって、２本の搬送ベルトの隙間によって生じる、搬送ベルト部との色の違いや、原稿の浮きを防ぐことができる。
【００２５】
図３は原稿搬送途中の正面断面図である。原稿エッジセンサ１２で原稿９の紙端を検出するには、原稿同士の間に隙間が必要となるが、この方法を図３を参照して説明する。ここで第１搬送途中原稿１３と第２搬送途中原稿１４に注目する。第１搬送途中原稿１３が分離ローラ３と分離パッド２を通り過ぎると、第１搬送途中原稿１３は分離ローラ３と搬送ローラ４とで保持される。このときの第１搬送途中原稿１３の速度をＶ１とする。
【００２６】
また、第１搬送途中原稿１３が分離ローラ３と分離パッド２を通り過ぎると、即座に次の原稿第２搬送途中原稿１４が分離ローラ３と分離パッド４に保持される。このときの第２搬送途中原稿１４の速度をＶ２とする。Ｖ１は分離ローラの回転速度に対してゴムの性質にもよるが僅かに減少するだけだが、Ｖ２は分離パッド２との摩擦力が大きいため、分離ローラ３の回転速度に対して大きく減少するように構成されている。このことによりＶ１とＶ２の間に、
Ｖ１＞Ｖ２
の関係が生じ、第１搬送途中原稿１３と第２搬送途中原稿１４との間に隙間を発生させることができる。また、上記の方法によらなくても、分離ローラの速度よりも搬送ベルトの速度を大きくすることによって、紙間を生み出すことができる。
【図面の簡単な説明】
【００２７】
【図１】本発明の第１の実施の形態に係る自動給紙装置の概略正面断面図である。
【図２】本発明の第１の実施の形態に係る自動給紙装置の斜視図である。
【図３】本発明の第１の実施の形態に係る自動給紙装置の原稿搬送中の正面断面図である。
【図４】従来の自動給紙装置（特許文献１）を示す概略正面断面図である。
【符号の説明】
【００２８】
１    原稿積載トレイ
２    分離パッド
３    分離ローラ
４    搬送ローラ
５    プラテンガラス
６    イメージセンサ
７ａ  第１ベルトローラ
７ｂ  第２ベルトローラ
８ａ  第１搬送ベルト
８ｂ  第２搬送ベルト
９    原稿
１０  自動原稿給紙手段
１１  原稿有無センサ
１２  原稿エッジセンサ
１３  第１搬送途中原稿
１４  第２搬送途中原稿
１５  読取装置
１６  原稿排紙トレイ
【図１】
2006076711.tif 000003
【図２】
2006076711.tif 000004
【図３】
2006076711.tif 000005
【図４】
2006076711.tif 000006